(57)【特許請求の範囲】
【請求項１】
開口部の周縁部に設けられ、上昇下降移動することによって前記開口部を開閉するように動作する開閉手段と、
前記開閉手段の開閉動作を案内するガイド手段と、
前記開閉手段の動作に連動して前記ガイド手段内を移動するダンパードグ手段と、
前記ガイド手段の長手方向に延長した場合の空間内又は前記ガイド手段内に設けられ、前記ダンパードグ手段と接触することによって前記開閉手段の上昇による開動作に制動をかけるように構成されたダンパー手段とを備えた開閉体装置において、
前記開閉手段の下降移動によって前記ダンパードグ手段が前記ガイド手段を床面に固定するための上げ落し機構部と接触した場合には、前記開閉手段の上昇下降移動を規制しないような状態に変形し、変形後に前記開閉手段の上昇移動によって前記ダンパードグ手段と前記上げ落し機構部との接触が解除した場合には、前記ダンパー手段に接触可能な元の状態に戻るように、前記ダンパードク手段を構成したことを特徴とする開閉体装置。
【請求項２】
請求項１に記載された開閉体装置において、前記ダンパードグ手段は、前記開閉手段の下降移動中に前記ガイド手段内の前記ダンパー手段以外の部材と接触した場合には、前記ダンパードグ手段の接触個所を含む部材の一部が回転移動して接触時の応力を逃がすことを特徴とする開閉体装置。
【請求項３】
請求項１又は２に記載された開閉体装置において、前記ダンパードグ手段は、一端が前記開閉手段に連結され、他端が床面に対して平行な水平部分を有するドグ本体と、平面部が床面に対して平行な位置から垂直な位置までの範囲で自在に回転するように前記ドグ本体の水平部分にドグピンを介して取り付けられたドグ回転部材とから構成されることを特徴とする開閉体装置。
【請求項４】
請求項３に記載された開閉体装置において、前記開閉手段が開閉動作中であって、前記ドグ回転部材と前記上げ落し機構部とが離間した位置にある場合は、前記ドグ回転部材の平面部は床面に対して平行な位置にあり、前記開閉手段が閉動作中であって、前記ドグ回転部材と前記上げ落し機構部とが接触した場合は、前記ドグ回転部材の平面部は床面に対して徐々に傾斜し、接触した状態からさらに前記開閉手段が床面側に移動した場合は、前記ドグ回転部材の平面部は床面に対して９０度近くまで傾斜することを特徴とする開閉体装置。
【発明の詳細な説明】
【技術分野】
【０００１】
本発明は、住宅、ビル、工場、倉庫などの建物を含む構築・構造物の開口部に設置されるシャッターカーテンなどの開閉手段を移動することによってその開口部を開放、閉鎖する開閉体装置に関する。
【背景技術】
【０００２】
従来、住宅、ビル、工場、倉庫、車庫などの建物を含む構築・構造物の開口部に設置されるシャッターカーテンなどの開閉体は、閉鎖方向へ移動することによってその開口部を閉鎖するものである。このような開閉体は、その開閉動作を手動で行なうものもあれば、電動で行なうものもある。開閉動作を電動で行うものは、開閉体の移動時の速度や全閉時及び全開時の直前の速度などを適宜制御することによって、全閉時や全開時に発生する衝撃音や振動音などの発生を抑制することができる。ところが、開閉動作を手動で行うものは、開閉体などを手動で勢い良く上げ開放させることによって、その上限で水切りが戸当たりやまぐさなどに衝突し、その衝撃と振動で比較的大きな衝撃音や振動音などの騒音を発生してしまう場合がある。そこで、従来は、特許文献１に記載されたもののように、巻取ドラム内にシャッターカーテンの上昇速度に応じて緩衝弾機の蓄勢力を利用して衝撃や振動を吸収するようにした衝撃吸収装置を設けたものが提案されている。
【０００３】
本願の出願人は、特許文献１に記載された発明を出願し、長期間の使用によっても経年変化による劣化の影響を少なくし、振動や衝撃などによる騒音の発生を抑制することのできるシャッター装置を提案している。図１は、特許文献１に係るシャッター装置の概要を示す図である。
【０００４】
このシャッター装置は、構築・構造物の開口部に設けられるものであり、基本的にシャッターケース１、シャッターカーテン２、ガイドレール３，４、巻取りドラム５から構成される。ガイドレール３，４は、シャッターカーテン２の両端部を案内するように建物の開口部の両端側に設けられ、まぐさ部から床面まで掛け渡された断面形状が略コの字型の案内溝を有する金属製部材で構成されている。シャッターカーテン２は、このガイドレール３，４の各案内溝に沿って上昇下降し、開口部の開閉動作を行う。巻取りドラム５は、シャッターケース１の両端ブラケット（図示せず）に固着された支持軸５１に自由回動自在に支持されるものであり、シャッターカーテン２を巻取るために巻取ドラム５を構成する巻取りホイール５２に付勢力を与える巻取り弾機５３，５４がそれぞれ一端を巻取ホイール５２に、他端を支持軸５１に連結して支持軸５１に外嵌する状態で介装されている。
【０００５】
このシャッター装置は、内まぐさと外まぐさの戸当たり部６１，６２のそれぞれ４箇所（左右２箇所）にストロークダンパー２１〜２４を備え、シャッターカーテン２の全開時に水切り部２５がストロークダンパー２１〜２４によって制動を受け、シャッターカーテン２の水切り部２５が急激に戸当たり部６１，６２に接触しないように抑制している。図２は、図１の戸当たり部に取り付けられたストロークダンパーと水切り部との関係の一例を示す図である。図２（Ａ）は、水切り部２５がストロークダンパー２１，２２に接触する前の状態を示す図であり、図２（Ｂ）は、水切り部２５がストロークダンパー２１，２２に接触して、制動を受けながらシャッターカーテン２が全開した状態を示す図である。
【０００６】
図から明かなように、図２（Ａ）の状態では、ストロークダンパー２１，２２の接触部２１ａ，２２ａは内蔵バネの付勢力によって下端部まで伸長している。この状態でシャッターカーテン２が上昇すると、水切り部２５がストロークダンパー２１，２２の接触部２１ａ，２２ａに接触し、ストロークダンパー２１，２２の接触部２１ａ，２２ａを押し上げ、ストロークダンパー２１，２２のストローク部が内部に押し込まれ、図２（Ｂ）のような状態になる。図に示すように、シャッターカーテン２は、戸当たり部に設けられた４個のストロークダンパー２１〜２４によってゆっくりと制動を掛けられながら巻取りドラム５に巻き取られ、全開となる。この状態からシャッターカーテン２が下降すると、内部に押し込まれていたストロークダンパー２１，２２のストローク部は内蔵バネの付勢力によって、図２（Ａ）のように復帰する。
【特許文献１】特開２００５−８３０２７号公報
【発明の開示】
【発明が解決しようとする課題】
【０００７】
特許文献１に記載の発明は、図１に示すように、開口部側端部の内まぐさと外まぐさの戸当たり部付近にストロークダンパーを設け、このストロークダンパーの可動部が開放動作時にシャッターカーテンの水切り部に接触することによってシャッターカーテンの動きに制動を掛けるようにしたものであるが、図１に示すようにシャッターカーテンがガイドレールに沿って移動して閉鎖した状態のときに、ストロークダンパーが開口部から突出し、開口部前後からストロークダンパー２１〜２４のストローク部が露出して、外観上の見栄えが低下すると共に露出しているために雨やほこり等が付着しやすく、それにより制動動作に悪影響を及ぼすおそれがあった。
【０００８】
そこで、本願の出願人は、特願２００５−８３８１４号を出願し、外観上の見栄えを低下させることなく、雨水やほこり等が極力付着しにくい位置、例えばガイドレール３，４に沿ってストロークダンパーを設けるようにした開閉体装置を提案している。
【０００９】
図３は、この先願（特願２００５−８３８１４号）に係るシャッター装置の概要を示す図であり、ストロークダンパーの本体部を両端ブラケット内に収納し、ストローク部（ロッド部）をガイドレール内に設けた状態の一例を示す図である。図３では、ブラケット部付近が拡大して示してある。また、図３では、ブラケットを点線で示し、ストロークダンパーを実線で示し、ガイドレールを一点鎖線で示してある。
【００１０】
図３に示すように、ストロークダンパー３０は、両端部に設けられたガイド部及びボトム部を介して、ガイドレール４の長手方向に延長した上部であって、かつ、両端ブラケット４０の立ち上げ部分の側面、言い換えると、巻取ドラム５側とはシャッターカーテン２を挟んで反対側で、かつ、構築・構造物の躯体に近接する側の位置にネジ等の固定具（リベットや針、溶接などを含むものである。以下同じ）などにて固定されている。ブラケット４０は、構築・構造物の躯体にネジ等の固定具などにて固定されており、シャッターケース１の左右両端に設けられ、巻取りドラム５を支持するようになっている。ブラケット４０の下側には、Ｌ字型のまぐさ受け部４１，４２がガイドレール４の上端部であって、ガイドレール４を前後から挟むように設けられている。このまぐさ受け部４１，４２にシャッターカーテン２のシャッターケース１側から開口部側への通過口となる内まぐさと外まぐさが取り付けられる。
【００１１】
ブラケット４０の巻取ドラム５側とはシャッターカーテン２を挟んで反対側となるまぐさ受け部４２には、ストロークダンパー３０のロッド部３１を貫通させるための開口部４３が設けられている。すなわち、ブラケット４０の立ち上げ部分にストロークダンパー３０をネジ等の固定具などにて固定し、その後にストロークダンパー３０のロッド部３１の先端を開口部４３に通過させ、通過後のロッド部３１の先端にドグ受け部材３２を取り付けている。
【００１２】
ドグ受け部材３２は、開口部４３の幅より少なくとも一部が大きい形状となっており、ロッド部３１の移動範囲はこの開口部４３によって規制されるようになっている。図３に示すような位置にストロークダンパー３０が設けられた場合、ロッド部３１の先端、すなわちドグ受け部材３２は、シャッターカーテン２の水切り部２５に接触することができないので、シャッターカーテン２の閉鎖側先端部のガイドレール内に位置する部分には、シャッターカーテン２の開閉動作と連動しドグ受け部材３２と接触するためのダンパードグ部材５０がネジ等の固定具などにて固定されている。ダンパードグ部材５０は、Ｌ字型の鋼板を２枚組み合わせた２段Ｌ字型をしている。この実施の形態では、ダンパードグ部材５０のドグ受け部材３２と接触する箇所がシャッターカーテン２の水切り部２５とほぼ同じレベルとなるように構成されている。
【００１３】
図４は、図３におけるガイドレール内の構成を示すために、ストロークダンパー側から床面側を見た図である。図４に示すように、ダンパードグ部材５０は、ガイドレール４内に沿って移動可能な形状を有している。図４に示すように、ロッド部３１に設けられたドグ受け部材３２の全面がダンパードグ部材５０の先端部に接触するように、それぞれ位置決め配置されている。このダンパードグ部材５０が開放動作時のシャッターカーテン２の水切り部２５とほぼ同じレベルで移動するので、このときにドグ受け部材３２がダンパードグ部材５０に接触することによって、ロッド部３１が上方向に付勢される。この付勢力がロッド部３１を介して伝達され、ロッド部３１がストロークダンパー３０の本体内部に押し込まれ、シャッターカーテン２は、ゆっくりと制動を掛けられながら巻取りドラム５に巻き取られ、全開状態となる。この状態からシャッターカーテン２が下降すると、内部に押し込まれていたストロークダンパー３０のロッド部３１が内蔵バネ等の付勢部材の付勢力及び／又は自重によって、下降して突出した初期状態に復帰するようになっている。
【００１４】
図５は、この先願（特願２００５−８３８１４号）に係るシャッター装置のストロークダンパーを中柱に適用した場合の一例を示す図であり、中柱内の構成を示すために、ストロークダンパー側から床面側を見た図である。図５において、中柱５７は、図４のガイドレール４の背面同士を結合した構造をしている。中柱５７を設置する場合、中柱５７を床面に固定するための上げ落とし機構が中柱内部に設けられる場合がある。図５では、この上げ落とし機構カバー５８を点線で示してある。この上げ落とし機構カバー５８は、中柱５７内で約１０〜１５ｃｍ程度の高を有する。従って、図５に示すように、ダンパードグ部材５０と上げ落とし機構カバー５８とが干渉するため、シャッターカーテン２が下降途中で、ダンパードグ部材５０が上げ落とし機構カバー５８に接触し、シャッターカーテン２の下降動作が途中の上げ落とし機構カバー５８の高さで停止することとなり、先願（特願２００５−８３８１４号）に係るシャッター装置のストロークダンパーを中柱５７に適用することは困難な場合があった。
この発明は、上述の点に鑑みなされたものであり、ストロークダンパーをガイドレール内に適用した場合に、ガイドレール内に上げ落としなどの干渉部材が存在してもそれに影響されることなくシャッターカーテンの開閉を行うことのできる開閉体装置を提供することを目的とする。
【課題を解決するための手段】
【００１５】
本発明の開閉体装置の第１の特徴は、開口部を開閉するように動作する開閉手段と、前記開閉手段の開閉動作を案内するガイド手段と、前記開閉手段の動作に連動して前記ガイド手段内を移動する連動手段と、前記ガイド手段の長手方向に延長した場合の空間内又は前記ガイド手段内に設けられ、前記連動手段と接触することによって前記開閉手段の開閉動作に制動をかけるように構成されたダンパー手段とを備えた開閉体装置において、前記連動手段が前記ガイド手段内の前記ダンパー手段以外の部材と接触した場合でも、前記開閉手段の開閉動作が規制されないように構成したことにある。
これは、ストロークダンパーであるダンパー手段がガイドレールであるガイド手段の長手方向に延長した場合の空間内、すなわち、開閉手段収納部内に設けられたり、ガイドレール内に直接設けられたりした場合、開閉手段の動作に連動してガイドレール内を移動する連動手段も同様にガイドレール内に設けられる。この連動手段とストロークダンパーの先端部とは互いに接触することによって、開閉手段の開閉動作に制動をかけることができる。ところが、開閉手段の動作に連動する連動手段をガイドレール内に設けたことによって、この連動手段がレール内でストロークダンパー以外の部材と接触して、開閉手段の開閉動作を規制する場合がある。この発明では、連動手段がその部材と接触した場合でも、開閉手段の開閉動作を規制しないような構成にした。これによって、ストロークダンパーをガイドレール内に適用した場合に、ガイドレール内に上げ落としなどの干渉部材が存在してもそれに影響されることなくシャッターカーテンの開閉を行うことができる。
【００１６】
本発明の開閉体装置の第２の特徴は、前記第１の特徴に記載された開閉体装置において、前記連動手段が、前記ガイド手段内の前記ダンパー手段以外の部材と接触した場合に、その接触個所を含む部材の一部が回転移動して接触時の応力を逃がすことにある。
これは、連動手段が部材と接触した場合でも、開閉手段の開閉動作を規制しないような連動手段の具体的な構成に関するものであり、連動手段がダンパー手段以外の部材と接触した場合に、接触個所を含む連動手段の一部が回転移動して接触時の応力を逃がすようにしたものである。これによって、連動手段がダンパー手段以外の部材と接触した場合でも開閉手段の開閉動作がその影響を受けにくくなり、スムースな開閉動作を行うことが可能となる。
【発明の効果】
【００１７】
以上のように本発明によれば、ストロークダンパーをガイドレール内に適用して例えば中柱を構成した場合に、中柱内に上げ落としなどの干渉部材が存在してもそれに影響されることなくシャッターカーテンの開閉を行うことができるという効果がある。
【発明を実施するための最良の形態】
【００１８】
以下、本発明に係る開閉体装置の好適な実施の形態を図面を参照して詳細に説明する。なお、この実施の形態においては、開閉体装置としてシャッター装置を例に説明する。シャッター装置は、例えば、短冊板状のスラットを多数連結してなるシャッターカーテンを、開口部左右に設けられたガイドレールに案内されて上下昇降動するものであり、建物開口部の上方に設けられた巻取ドラムに巻回状態で収容され、巻き戻されることで建物開口部を閉鎖するものである。シャッター装置の全体構成は、図１に示した先願と同じなのでその説明は省略する。この実施の形態に係るシャッター装置は、ストロークダンパーのストローク部及びこのストロークダンパーの先端部に接触するダンパードグ部材が共にガイドレール内に設けられる点を考慮し、ダンパードグ部材が中柱内の上げ落としなどの干渉部材に干渉しないように改良を加えたものである。
【００１９】
図６は、ストロークダンパーの先端部に接触するダンパードグ部材の一例を示す図であり、ストロークダンパー側から床面側を見た図である。図６では、中柱５９を構成するレール４８，４９を示し、このレール４８内におけるダンパードグ部材６５と上げ落とし機構カバー５８との関係を示している。レール４９内にも同じようにシャッターカーテンとダンパードグ部材６５とが存在するがそれについては図示を省略してある。レール４８，４９から構成される中柱５９を設置する場合、中柱５９を床面に固定するための上げ落とし機構が中柱５９の内部に設けられている。図６では、この上げ落とし機構のカバー５８の外観を理解しやすいように、レール４８，４９の上側に位置するものとして示してある。
【００２０】
本実施形態においては、この上げ落とし機構カバー５８は、中柱５９内で約１０〜１５ｃｍ程度の高さを有する。従って、図６に示すように、ダンパードグ部材６５と上げ落とし機構カバー５８とはレール４８内で移動することによって干渉するような位置関係にある。図７は、図６のダンパードグ部材６５の詳細構成を示す斜視図である。図７に示すように、ダンパードグ部材６５は、ドグ本体６５１とドグ回転部材６５２とから構成される。ドグ本体６５１は、幅の異なるＬ字型の鋼板を２枚組み合わせた２段Ｌ字型をしており、Ｌ字形状の先端部は幅が細くなっており、床面と水平な部分を有し、この水平部分にドグピン６５３が取り付けられている。このドグピン６５３を介してドグ回転部材６５２が回転自在に取り付けられている。このとき、ドグ回転部材６５２は、その平面部が床面に対して平行な位置から垂直な位置までの約９０度の範囲で自在に回転するように構成されている。図７は、ドグ回転部材６５２の平面部が床面に対して平行な位置にある状態を示している。
【００２１】
図８は、図６のダンパードグ部材と上げ落とし機構カバーとの関係を示す図であり、図６のＡ方向からレール内部を見た図である。図８に示すように、シャッターカーテン２が閉鎖又は開放途中にあり、ダンパードグ部材６５のドグ回転部材６５２と上げ落とし機構カバー５８とは離間した位置にある。この場合、ドグ回転部材６５２は、その平面部が床面に対して平行な位置にある。
【００２２】
図９は、図６のダンパードグ部材と上げ落とし機構カバーとが接触した状態を示す図であり、図６のＡ方向からレール内部を見た図である。図９に示すように、シャッターカーテン２が閉鎖直前にあり、ダンパードグ部材６５のドグ回転部材６５２と上げ落とし機構カバー５８とが接触した位置にある場合、ドグ回転部材６５２は、その下側平面部が上げ落とし機構カバー５８の上端部に接触し、ドグ回転部材６５２の平面部が床面に対して所定の角度だけ傾斜した位置にある。この状態からさらにシャッターカーテン２が床面側に移動することによって、ドグ回転部材６５２の平面部と床面とのなす角度は徐々に９０度近くに傾斜する。このようにドグ回転部材６５２は、上げ落とし機構カバー５８に接触しても回転するので、シャッターカーテン２の下降動作が途中の上げ落とし機構カバー５８によって妨害されることはなくなり、ストロークダンパーをガイドレール内に適用して中柱を構成することが可能となる。ドグ回転部材６５２は、上げ落とし機構カバー５８に接触すると回転し、上げ落とし機構カバー５８の垂直面に接触した状態を保ちながら下降する。開放時も同様に垂直面に接触した状態を保ちながら上昇するため、ドグ回転部材６５２が垂直面との摩擦により動作に不具合が発生しないように接触面はなめらかな状態となっている。
【００２３】
なお、ドグ回転部材６５２は自重で床面に対して平行な位置に復帰するようになっているが、ドグピン６５３とドグ回転部材６５２との間にバネ等の付勢部材を設け、その付勢力で床面に対して平行な位置に復帰するようにしてもよい。また、ドグ回転部材６５２の回転軸、すなわちドグピン６５３の長手方向がシャッターカーテン２の平面に対して垂直方向に設けられているが、ドグ本体６５１の形状を変更して、ドグ回転部材６５２の回転軸（ドグピン６５３の長手方向）がシャッターカーテン２の平面と平行方向となるようにしてもよい。
【００２４】
ダンパー手段には、エアを利用したものなど、その衝撃や振動などによる騒音の発生を抑制するものであればオイルやガスを利用したもの等任意のものでよい。上述の実施の形態では、シャッターカーテンが上方から下降方式で繰り出される場合について説明したが、逆に上昇方式で繰り出されたりするものであっても同様に適用することができる。さらに、シャッター状の開閉部材が横引き方式で繰り出されたり、あるいは水平方式で繰り出されたりするものであっても同様に適用することができる。開閉体装置としては、例えば、シャッター装置、ブラインド装置、ロールスクリーン装置、垂れ幕装置、引戸装置、移動間仕切装置、オーニング装置、防水板装置、門扉装置などがある。
【００２５】
ストロークダンパーは、ブラケットを含むシャッターカーテン収納部内及び／又はガイドレール内で、図１、図２のように、シャッターカーテンを挟んで巻取ドラム側とその反対側との双方に設けても良いし、いずれか一方のみに設けても良く、シャッターカーテンの開閉のための巻取り、巻き戻し動作に支障のない位置に設けることが好ましい。一方のみに設ける場合は、巻取ドラムとはシャッターカーテンを挟んで反対側の位置に設けることがより好ましい。また、これらの場合、ストロークダンパーの配置位置に応じて、連動手段であるダンパードグ部材を配置するようにすれば良い。
【図面の簡単な説明】
【００２６】
【図１】特許文献１に係るシャッター装置の概要を示す図である。
【図２】図１の戸当たり部に取り付けられたストロークダンパーと水切り部との関係の一例を示す図である。
【図３】先願に係るシャッター装置の概要を示す図であり、ストロークダンパーの本体部を両端ブラケット内に収納し、ストローク部（ロッド部）をガイドレール内に設けた状態の一例を示す図である。
【図４】図３におけるガイドレール内の構成を示すために、ストロークダンパー側から床面側を見た図である。
【図５】この先願に係るシャッター装置のストロークダンパーを中柱に適用した場合の一例を示す図であり、中柱内の構成を示すために、ストロークダンパー側から床面側を見た図である。
【図６】ストロークダンパーの先端部に接触するダンパードグ部材の一例を示す図であり、ストロークダンパー側から床面側を見た図である。
【図７】図６のダンパードグ部材の詳細構成を示す斜視図である。
【図８】図６のダンパードグ部材と上げ落とし機構カバーとの関係を示す図であり、図６のＡ方向からレール内部を見た図である。
【図９】図６のダンパードグ部材と上げ落とし機構カバーとが接触した状態を示す図であり、図６のＡ方向からレール内部を見た図である。
【符号の説明】
【００２７】
１…シャッターケース
２…シャッターカーテン
２１〜２４…ストロークダンパー
２１ａ，２２ａ…接触部
２５…水切り部
３，４，４８，４９…ガイドレール
３０…ストロークダンパー
３１…ロッド部
３２…ドグ受け部材
３３…シリンダ部
４０…ブラケット
４１，４２…まぐさ受け部
４３…開口部
５０…ダンパードグ部材
５…巻取ドラム
５１…支持軸
５２…巻取りホイール
５３，５４…巻取り弾機
５７，５９…中柱
５８…上げ落とし機構カバー
６５…ダンパードグ部材
６５１…ドグ本体
６５２…ドグ回転部材
６５３…ドグピン
【図１】
0004845601.tif 000002
【図２】
0004845601.tif 000003
【図３】
0004845601.tif 000004
【図４】
0004845601.tif 000005
【図５】
0004845601.tif 000006
【図６】
0004845601.tif 000007
【図７】
0004845601.tif 000008
【図８】
0004845601.tif 000009
【図９】
0004845601.tif 000010